(57)【要約】【課題】  媒体受け皿に放出される多数の遊技媒体が媒体受け皿底面等で跳ね返ったとしても、それらの媒体受け皿からの飛び出しを確実に抑え得るように構成した遊技機を提供する。【解決手段】  パチンコ機１は、遊技球が供給される球受け皿１３を遊技機本体（２，３）に備えており、球受け皿１３における遊技球の供給位置に対応して、球受け皿１３側に待避する待避位置と該球受け皿１３から突出する球零れ防止位置とに進退可能に配置された球零れ規制部材１６，２６と、球受け皿１３に遊技球が供給される球供給時期を判定する信号出力判定手段３２と、この判定手段３２により判定された球供給時期に先立って球零れ規制部材１６，２６を待避位置から球零れ防止位置に進出動作させる規制部材作動手段としての作動信号出力手段３４、第１規制部材作動手段３５及び第２規制部材作動手段３６と、を備えている。【選択図】      図２
2005237785.tif 000002
【特許請求の範囲】
【請求項１】
遊技媒体が供給される媒体受け皿を遊技機本体に備えてなる遊技機において、
前記媒体受け皿における遊技媒体の供給位置に対応して、前記媒体受け皿側に待避する待避位置と該媒体受け皿から突出する媒体零れ防止位置とに進退可能に配置された媒体零れ規制部材と、
前記媒体受け皿に遊技媒体が供給される媒体供給時期を判定する判定手段と、
前記判定手段により判定された媒体供給時期に先立って前記媒体零れ規制部材を前記待避位置から前記媒体零れ防止位置に進出動作させる規制部材作動手段と、を備えてなる、
ことを特徴とする遊技機。
【請求項２】
前記判定手段は、前記遊技機本体の左右一側に配置された媒体貸し機のノズルから前記媒体受け皿に遊技媒体が放出される時点を前記媒体供給時期として判定してなる、
ことを特徴とする請求項１に記載の遊技機。
【請求項３】
前記判定手段は、前記媒体貸し機に所定の入金が有ったとき出力される入金検出信号に基づいて前記媒体供給時期を判定してなる、
ことを特徴とする請求項２に記載の遊技機。
【請求項４】
前記判定手段は、前記媒体受け皿の所定位置に開口する媒体供給口から前記媒体受け皿に対して大当たりに伴う賞球がある時点を前記媒体供給時期として判定してなる、
ことを特徴とする請求項１に記載の遊技機。
【請求項５】
前記判定手段は、前記遊技機本体に備えた遊技盤面部に配置されたアタッカーへの入賞が有ったとき出力される入賞検出信号に基づいて前記媒体供給時期を判定してなる、
ことを特徴とする請求項４に記載の遊技機。
【請求項６】
前記規制部材作動手段は、前記媒体受け皿の前記遊技機本体からの離反状態にあっては前記媒体零れ規制部材の前記媒体零れ防止位置への進出動作を行わないようにしてなる、
ことを特徴とする請求項１ないし５のうち何れか１項に記載の遊技機。
【発明の詳細な説明】
【技術分野】
【０００１】
本発明は、パチンコ機やスロットマシン等の遊技機に関し、特に遊技球や遊技メダル等の遊技媒体を受ける媒体受け皿に供給される遊技媒体が皿外方に零れ出ないように改善した遊技機に関する。
【背景技術】
【０００２】
一般に、遊技機、例えばパチンコ機として、上受け皿に滞留している遊技球（以下、単に「球」とも言う）が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、またスタートチャッカーに入球した際にはこれに基づいて大当たり抽選が行われると共に所定数の遊技球が払い出され、当該抽選の結果に応じて、遊技盤の中央部分に設けられた液晶等からなる特別図柄表示画面上で所定の演出表示が行われる。大当たりの発生時には、アタッカーと呼ばれる大入賞口が開放し、入球に対応して多量の遊技球が払い出される状態となる。
【０００４】
上記構成を有するようなパチンコ機において、球受け皿に払い出される遊技球の速度を緩和する緩和部材（２点を支点として前後に揺動する部材）を備え、球受け皿の閉鎖状態（球受け皿が木枠（筐体）にセットされている状態（所謂閉状態））にあっては、受け皿へ払い出される遊技球の速度を当該緩和部材によって緩和させ、球受け皿の開放状態（球受け皿が木枠から離間している状態（所謂開状態））にあっては、球受け皿に払い出される遊技球を当該緩和部材によって規制するように構成したものが存在する（例えば、特許文献２参照）。
【０００５】
【特許文献１】特開２００３−２３６２１０号公報
【特許文献２】特許第２８５７３４７号公報
【発明の開示】
【発明が解決しようとする課題】
【０００６】
ところで、上記特許文献２に記載されたパチンコ機では、始動チャッカーやその他の入球口への入球に応答した少数の遊技球供給時には、遊技球に対する速度緩和効果を充分に得ることはできる。しかしながら、例えば、横方向に配列されるパチンコ機相互間に設けられた台間球貸し機（所謂サンド）のノズルから球受け皿に多数の遊技球が放出（貸し出し）される際、或いは、大当たり発生に伴って開放したアタッカーへの入球に応じて球供給口から多数の遊技球が球受け皿に放出（賞球）される際にあっては、払い出される球の速度を上記緩和部材によって充分に緩和することができず、払い出された遊技球が球受け皿底面等で跳ね返り、球受け皿から飛び出して零れ落ちる不都合を生じることがある。
【０００７】
そこで本発明は、遊技球や遊技メダル等の遊技媒体を受ける媒体受け皿に放出される多数の遊技媒体が当該媒体受け皿の底面等で跳ね返ったとしても、それらの媒体受け皿からの飛び出しを確実に抑え得るように構成し、もって上述した課題を解決した遊技機を提供することを目的とするものである。
【課題を解決するための手段】
【０００８】
請求項１に係る本発明は（例えば図１ないし図６参照）、遊技媒体が供給される媒体受け皿（１３）を遊技機本体（２，３）に備えてなる遊技機（１）において、
前記媒体受け皿（１３）における遊技媒体の供給位置に対応して、前記媒体受け皿（１３）側に待避する待避位置と該媒体受け皿から（１３）突出する媒体零れ防止位置とに進退可能に配置された媒体零れ規制部材（１６，２６）と、
前記媒体受け皿（１３）に遊技媒体が供給される媒体供給時期を判定する判定手段（３２）と、
前記判定手段（３２）により判定された媒体供給時期に先立って前記媒体零れ規制部材（１６，２６）を前記待避位置から前記媒体零れ防止位置に進出動作させる規制部材作動手段（３４，３５，３６）と、を備えてなる、
ことを特徴とする遊技機（１）にある。
【０００９】
請求項２に係る本発明（例えば図１ないし図４、及び図６参照）は、前記判定手段（３２）が、前記遊技機本体（２，３）の左右一側に配置された媒体貸し機（１７）のノズル（１９）から前記媒体受け皿（１３）に遊技媒体が放出される時点を前記媒体供給時期として判定してなる、
ことを特徴とする請求項１に記載の遊技機（１）にある。
【００１０】
請求項３に係る本発明（例えば図１ないし図４、及び図６参照）は、前記判定手段（３２）が、前記媒体貸し機（１７）に所定の入金が有ったとき出力される入金検出信号に基づいて前記媒体供給時期を判定してなる、
ことを特徴とする請求項２に記載の遊技機（１）にある。
【００１１】
請求項４に係る本発明（例えば図１ないし図３、図５及び図６参照）は、前記判定手段（３２）が、前記媒体受け皿（１３）の所定位置に開口する媒体供給口（１８）から前記媒体受け皿（１３）に対して大当たりに伴う賞球がある時点を前記媒体供給時期として判定してなる、
ことを特徴とする請求項１に記載の遊技機（１）にある。
【００１２】
請求項５に係る本発明（例えば図１ないし図３、図５及び図６参照）は、前記判定手段（３２）が、前記遊技機本体（２，３）に備えた遊技盤面部（７）に配置されたアタッカーへの入賞が有ったとき出力される入賞検出信号に基づいて前記媒体供給時期を判定してなる、
ことを特徴とする請求項４に記載の遊技機（１）にある。
【００１３】
請求項６に係る本発明（例えば図１ないし図６参照）は、前記規制部材作動手段（３４，３５，３６）が、前記媒体受け皿（１３）の前記遊技機本体（２，３）からの離反状態にあっては前記媒体零れ規制部材（１６，２６）の前記媒体零れ防止位置への進出動作を行わないようにしてなる、
ことを特徴とする請求項１ないし５のうち何れか１項に記載の遊技機（１）にある。
【００１４】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１５】
請求項１に係る本発明によると、媒体受け皿に放出される遊技媒体の速度が最も大きくて媒体零れの可能性が高い位置近傍に媒体零れ規制部材が配置され、判定手段によって判定された媒体供給時期に先立って媒体零れ規制部材を媒体零れ防止位置に進出させるので、媒体供給時に多数の遊技媒体が勢い良く媒体受け皿上に放出されて皿底面で跳ね返ったとしても、当該遊技媒体の媒体受け皿からの飛び出しを媒体零れ規制部材によって確実に抑え、遊技場（遊技店）の床面に遊技媒体が散乱するような不都合を防止できる。これにより、店内床面を綺麗にするなど、サービスの向上を図ることができる。なお、媒体零れ規制部材は、比較的柔軟で遊技媒体に対する緩衝作用が大きい材料から構成されることが好ましい。
【００１６】
請求項２に係る本発明によると、判定手段が、遊技機本体の左右一側に配置された媒体貸し機のノズルから媒体受け皿に遊技媒体が放出される時点を媒体供給時期として判定するので、ノズルから多数の遊技媒体が勢い良く媒体受け皿上に放出される媒体供給時を的確に判定して球零れ規制部材を確実に上方突出させることができる。従って、媒体受け皿に多数の遊技媒体が放出される際、媒体貸し機に投入された金額（貸し出し金額）に相当する媒体数を確実に遊技者に付与することができると共に、遊技店の床面に遊技媒体が散乱するような不都合を防止して、遊技者へのサービスの向上を図ることができる。
【００１７】
請求項３に係る本発明によると、判定手段が、媒体貸し機にて所定の入金が有ったとき出力される入金検出信号に基づいて媒体供給時期を判定するので、媒体貸し機への入金に応答したノズルからの多数の遊技媒体放出に先立って、媒体零れ規制部材を必要な突出状態にセットすることができる。
【００１８】
請求項４に係る本発明によると、判定手段が、媒体供給口から大当たりに伴う賞球がある時点を媒体供給時期として判定するので、媒体供給口から多数の遊技媒体が勢い良く媒体受け皿上に放出される媒体供給時を的確に判定して媒体零れ規制部材を確実に上方突出させることができる。従って、媒体受け皿に多数の遊技媒体が放出される際、賞球に相当する数の遊技媒体を確実に遊技者に付与することができると共に、遊技店の床面に遊技媒体が散乱するような不都合を防止して、遊技者へのサービスの向上を図ることができる。
【００１９】
請求項５に係る本発明によると、判定手段が、遊技機本体に備えた遊技盤面部上のアタッカーへの入賞が有ったとき出力される入賞検出信号に基づいて媒体供給時期を判定するので、賞球に応じた媒体供給口からの多数の遊技媒体放出に先立って、媒体零れ規制部材を必要な突出状態にセットすることができる。
【００２０】
請求項６に係る本発明によると、規制部材作動手段が、媒体受け皿の遊技機本体からの離反状態にあっては媒体零れ規制部材の媒体零れ防止位置への進出動作を行わないので、遊技中にのみ媒体零れ防止部材を媒体零れ防止位置に進出させて媒体零れを確実に防止できると共に、媒体受け皿を遊技機本体から離反させた状態で行うメンテナンス時等には、媒体零れ規制部材を媒体零れ防止位置に突出させず、該媒体零れ規制部材を邪魔にすることのないスムーズな作業を実施できるようになる。
【発明を実施するための最良の形態】
【００２１】
以下、本発明に係る遊技機の実施形態として、遊技場等に設置されるパチンコ機を図１ないし図６に沿って説明する。なお、本発明は、遊技機としてのスロットマシンにも適用可能であることは勿論である。
【００２２】
また、図１は本パチンコ機の外部構造を示す正面図、図２は本パチンコ機の外部構造を別の状態で示す正面図、図３は本パチンコ機を上方から見た状態で示す平面図、図４は本パチンコ機の一部を拡大して示す正面図、図４は本パチンコ機の一部を拡大して示す正面図、図６は本パチンコ機の制御系を示すブロック図である。
【００２３】
本パチンコ機１は、後述の発射ハンドル９の操作に基づく球発射装置１５の作動で遊技球（遊技媒体）を遊技盤面部７に打ち出しつつ遊技を行うもので、所謂確率変動等の大当たりが発生した状態で不図示のアタッカー（大入賞口）に入球（入賞）した遊技球に対応する数の遊技球を払い出すように構成されている。上記確率変動（確変当たり）とは、遊技盤面部７上の始動チャッカー（図示せず）への入球時に行われる抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２４】
図１ないし図３に示すように、本パチンコ機１は、筐体２と、筐体２に開閉可能に装着された前扉３とを有しており、前扉３の前面には、透明ガラス６を有するガラス枠５が開閉可能に取付けられており、透明ガラス６の奥側には遊技盤面部７が配置されている。前扉３における遊技盤面部７の左右及び上部には演出用照明装置２３が配置されており、前扉３における上部左右及び下部には夫々、スピーカ（図示せず）を有する放音装置８が配置されている。また、ガラス枠５における中央部右方には、前扉３を筐体２側に施錠又は解放するための施錠装置４が配置されている。なお、筐体２及び前扉３によって遊技機本体が構成されている。
【００２５】
前扉３における下部中央には、遊技球が供給される皿ユニット（媒体受け皿）１３が設けられており、皿ユニット１３における右上部には、賞球及び貸球を含む遊技球が供給される球供給口（媒体供給口）１８が設けられている。皿ユニット１３の中央部には、該皿ユニット１３上の遊技球を球発射装置１５付近から皿ユニット下部の球排出口（図示せず）を通して下方に排出するための第１球抜きボタン２２ａと、皿ユニット１３上の遊技球を球供給口１８付近から上記球排出口を通して下方に排出するための第２球抜きボタン２２ｂとが配置されている。また、前扉３における皿ユニット１３の右側下方には、上記球発射装置を操作して遊技球を遊技盤面部７に向けて打ち出すための発射ハンドル９が設けられている。更に、皿ユニット１３の下部左方には、灰皿２４が配置されている。
【００２６】
ついで、本発明の特徴である球零れ規制部材の作動機構等に関して説明する。図１及び図２に示すように、本パチンコ機１の左右一側（本実施形態では左側）には、台間球貸し機（所謂サンド）１７が配置されている。この台間球貸し機（単に「球貸し機」とも言う）１７は、所定台数ずつ（遊技場によって異なるが例えば１３台〜１６台）のパチンコ機が横一列に配備された所謂「島」におけるパチンコ機相互間（台間）に１基ずつ介在されるもので、通常は各パチンコ機の左側に位置するものへの所定の現金の投入（以下、「入金」とも言う）に応答して、一定の金額分に相当する個数の遊技球を貸し出す球貸しを行う。
【００２７】
同図において球貸し機（媒体貸し機）１７は、パチンコ機１の高さと略同等の高さを有する本体部の略中央に配置され、現金（例えば５００円や１００円等の硬貨）が投入される投入口２０と、該投入口２０の下方に配置され、回動基部１９ａを中心として左右方向に手動で回動するノズル１９とを備えている。このノズル１９は、図１に示されるように皿ユニット１３側に回動した際に、その先端部１９ｂを、皿ユニット１３の比較的奥側の底面に対向位置させるように構成されている。そして、投入口２０に所定の現金が投入された際、これに応答して、ノズル１９の先端部１９ｂから投入金額に相当する球数の遊技球が皿ユニット１３に放出される。なお、本実施の形態では、投入口２０を、現金硬貨を投入するタイプのものとして説明するが、当該投入口が、紙幣を投入するタイプ、或いはプリベートカードを投入するタイプのものであっても良いことは言うまでもない。
【００２８】
球受け皿１３は、ノズル１９の先端部１９ｂからの遊技球供給位置に対応する前壁側に球零れ規制部材（媒体零れ規制部材）１６を、また球供給口１８からの遊技球供給位置に対応する前壁側に球零れ規制部材（媒体零れ規制部材）２６を夫々備えている。
【００２９】
球零れ規制部材１６，２６は夫々、球受け皿１３側に待避する待避位置（図１参照）と該球受け皿１３から突出する球零れ防止位置（図２，図４及び図５参照）とに進退可能に配置されている。皿ユニット１３における球零れ規制部材１６，２６に対応する位置には、球零れ規制部材１６，２６をその待避時に夫々収容する収容部１６ａ，２６ａが形成されている。
【００３０】
なお、球零れ規制部材１６，２６双方は、比較的硬質でかつ薄板状のプラスチック材料から構成することもできるが、比較的柔軟で遊技球に対する緩衝作用が大きくかつ薄板状のプラスチック材料から構成することも好ましい態様である。
【００３１】
次に、本実施形態におけるパチンコ機１の制御系を図６に沿って説明する。すなわち、本制御系は、主基板（主制御基板）３０と、この主基板３０に接続されたサブ制御基板（サブ基板）３１とを有しており、サブ制御基板３１には前述の台間球貸し機１７が接続されている。
【００３２】
主基板３０は、本パチンコ機１の動作全体を管理するものであり、当該パチンコ機１の動作全体を管理するシステムプログラム及び遊技用の実行プログラムが予め記憶された半導体メモリ等からなる記憶部（図示せず）と、これらのプログラムを実行するマイクロプロセッサ（ＭＰＵ）と、入賞検出手段２８と、入賞検出信号出力手段２９とを備えている。
【００３３】
入賞検出手段２８は、遊技盤面部７上の始動チャッカー（図示せず）への入球時に主基板３０側で行われる抽選の結果、大当たりに当選して所定回数（例えば１５回）開閉動作するアタッカーの１回の開放時に所定数（例えば１０個）の遊技球が入球（入賞）したことを検出するもので、アタッカーの最初の開放時に最初の入球があったときに入賞有りを検出し、またアタッカーの所定回数の開閉動作が終了したときに入賞終了を検出する。
【００３４】
入賞検出信号出力手段２９は、入賞検出手段２８によって上記入賞有りが検出された際に当該検出に基づく入賞検出信号を出力すると共に、入賞検出手段２８によって上記入賞終了が検出された際に当該検出に基づく入賞終了検出信号を出力する。
【００３５】
サブ制御基板３１には、第１規制部材作動手段３５、第２規制部材作動手段３６、放音装置８、演出用照明装置２３、及び、遊技盤面部７の略中央部に配置された液晶表示装置２１（図６以外では図示を省略）が接続されている。当該サブ制御基板３１は、主基板３０中の上記マイクロプロセッサから供給される演出制御信号に従って、実装された電気回路からなる適宜の手段が放音装置８、演出用照明装置２３、液晶表示装置２１を適時駆動して、遊技者の視覚及び聴覚に訴える演出表示を行うように機能する。サブ制御基板３１は更に、内蔵する信号出力判定手段３２、判定信号出力手段３３及び作動信号出力手段３４の働きにより、上記第１規制部材作動手段３５及び上記第２規制部材作動手段３６を作動させて、球零れ規制部材１６，２６を適時動作させるように機能する。
【００３６】
信号出力判定手段３２は、球受け皿１３に遊技球が供給される球供給時期（媒体供給時期）を判定する判定手段を構成するもので、遊技機本体の左側に配置された球貸し機１７のノズル１９から球受け皿１３に遊技球が放出される時点を球供給時期として判定し、また球受け皿１３の所定位置に開口する球供給口１８から該球受け皿１３に大当たり時の遊技球放出を行う時点を球供給時期として判定する。信号出力判定手段３２は、球貸し機１７に所定の入金が有ったときに後述の検出信号出力手段３８から出力される入金検出信号に基づいて球供給時期を判定し、また遊技盤面部７上の上述したアタッカーへの入球が有ったときに入賞検出信号出力手段２９から入賞有りに基づいて出力される入賞検出信号に基づいて球供給時期を判定する。
【００３７】
判定信号出力手段３３は、信号出力判定手段３２によって入賞検出信号及び入金検出信号の少なくとも一方の出力が有ったと判定された際に、当該判定に基づく判定信号を出力する。
【００３８】
作動信号出力手段３４は、上記判定信号出力手段３３から上記判定信号を受信したとき、これに基づいて第１規制部材作動手段３５及び第２規制部材作動手段３６の対応するものに作動信号を出力し、球零れ規制部材１６及び／又は球零れ規制部材２６をその待避位置（図１参照）から球零れ防止位置（図２，図４及び図５参照）に向けて突出動作させるように、不図示のソレノイドを作動させる。
【００３９】
第１規制部材作動手段３５は、作動信号出力手段３４から出力される作動信号に基づき、球零れ規制部材１６を待避位置と球零れ防止位置（媒体零れ防止位置）との間で移動動作させる。
【００４０】
第２規制部材作動手段３６は、作動信号出力手段３４から出力される作動信号に基づき、球零れ規制部材２６を待避位置と球零れ防止位置との間で移動動作させる。
【００４１】
放音装置８、演出用照明装置２３及び液晶表示装置２１は、サブ制御基板３１による制御に応答して、通常時の演出や大当たり時における特別な演出を、音や光等によって行う。
【００４２】
なお、上記作動信号出力手段３４、第１規制部材作動手段３５及び第２規制部材作動手段３６によって、信号出力判定手段３２により判定された球供給時期に先立って球零れ規制部材１６，２６を待避位置から球零れ防止位置に進出動作させる規制部材作動手段が構成されている。そして、当該規制部材作動手段（３４，３５，３６）は、球受け皿１３やガラス枠５の遊技機本体からの離反状態（開放状態）にあっては、球零れ規制部材１６，２６の球零れ防止位置への進出動作を行わないように機能する。これにより、遊技中にのみ球零れ防止部材１６，２６を球零れ防止位置に進出させて球零れを確実に防止できると共に、球受け皿（及びガラス枠５）を遊技機本体から離反させた状態で行うメンテナンス時等には、球零れ規制部材１６，２６を球零れ防止位置に突出させず、該球零れ規制部材１６，２６を邪魔にすることのないスムーズな作業を実施できるようになる。
【００４３】
また、台間球貸し機１７は、入金検出手段３７、検出信号出力手段３８、及び球放出手段３９を備えている。
【００４４】
入金検出手段３７は、台間球貸し機１７の投入口２０から所定金額の現金が投入されたことを検出する。
【００４５】
検出信号出力手段３８は、入金検出手段３７によって現金投入が検出された際に、当該検出に基づく検出信号を出力する。
【００４６】
球放出手段３９は、上記検出信号出力手段３８から上記検出信号を受信したとき、これに基づいて、台間球貸し機１７に内蔵された球供給装置（図示せず）に作動信号（即ち、払い出し信号）を出力し、この球供給装置を作動させてノズル１９から皿ユニット１３上に投入金額に対応する個数の遊技球を放出させる。
【００４７】
したがって、以上の本実施形態におけるパチンコ機１によると、球受け皿１３に放出される遊技球の速度が最も大きくて球零れの可能性が高い位置近傍に球零れ規制部材１６，２６が配置され、信号出力判定手段３２によって判定された球供給時期に先立って球零れ規制部材１６，２６を球零れ防止位置に進出させることができるので、球供給時に多数の遊技球が勢い良く球受け皿１３上に放出されて皿底面で跳ね返ったとしても、当該遊技球の球受け皿１３からの飛び出しを球零れ規制部材１６，２６によって確実に抑え、遊技場の床面に遊技球が散乱するような不都合を防止できる。これにより、店内床面を綺麗にするなど、サービスの向上を図ることができる。
【００４８】
また、信号出力判定手段３２が、遊技機本体の左右一側に配置された台間球貸し機１７のノズル１９から球受け皿１３に遊技球が放出される時点を球供給時期として判定することにより、ノズル１９から多数の遊技球が勢い良く球受け皿１３上に放出される球供給時を的確に判定して球零れ規制部材１６を確実に上方突出させることができる。従って、球受け皿１３に多数の遊技球が放出される際、球貸し機１７に投入された金額（貸し出し金額）に相当する球数を確実に遊技者に付与することができると共に、遊技店の床面に遊技球が散乱するような不都合を防止して、遊技者へのサービスの向上を図ることができる。そして、信号出力判定手段３２が、球貸し機１７にて所定の入金が有ったとき出力される入金検出信号に基づいて球供給時期を判定するので、球貸し機１７への入金に応答したノズル１９からの多数の遊技球放出に先立って、球零れ規制部材１３を必要な突出状態にセットすることができる。なお、信号出力判定手段３２が入金検出信号に基づいて球供給時期を判定する構成に代えて、当該信号出力判定手段３２が、上記入金信号の出力後に球放出手段３９から出力される作動信号（払い出し信号）に基づいて球供給時期を判定するように構成することも可能である。
【００４９】
更に、信号出力判定手段３２が、球供給口１８から大当たりに伴う賞球がある時点を球供給時期として判定するので、球供給口１８から多数の遊技球が勢い良く球受け皿１３上に放出される球供給時を的確に判定して球零れ規制部材２６を確実に上方突出させることができる。従って、球受け皿１３に多数の遊技球が放出される際、賞球に相当する球数を確実に遊技者に付与することができると共に、遊技店の床面に遊技球が散乱するような不都合を防止して、遊技者へのサービスの向上を図ることができる。そして、信号出力判定手段３２が、遊技機本体に備えた遊技盤面部７上の大入賞口（アタッカー）への入球が有ったとき出力される入賞検出信号に基づいて球供給時期を判定するので、賞球に応じた球供給口１８からの多数の遊技球放出に先立って、球零れ規制部材２６を必要な突出状態にセットすることができる。
【００５０】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００５１】
【図１】本発明の実施形態におけるパチンコ機の外部構造を示す正面図である。
【図２】本パチンコ機の外部構造を別の状態で示す正面図である。
【図３】本パチンコ機を上方から見た状態で示す平面図である。
【図４】本パチンコ機の一部を拡大して示す正面図である。
【図５】本パチンコ機の一部を拡大して示す正面図である。
【図６】本パチンコ機の制御系を示すブロック図である。
【符号の説明】
【００５２】
１…パチンコ機（遊技機）
７…遊技盤面部
１３…球受け皿（媒体受け皿）
１６，２６…球零れ規制部材（媒体零れ規制部材）
１７…台間球貸し機（媒体貸し機）
１８…球供給口（媒体供給口）
１９…ノズル
１９ａ…回動基部
１９ｂ…先端部
３２…信号出力判定手段（判定手段）
３４…作動信号出力手段
３５…第１規制部材作動手段
３６…第２規制部材作動手段
【図１】
2005237785.tif 000003
【図２】
2005237785.tif 000004
【図３】
2005237785.tif 000005
【図４】
2005237785.tif 000006
【図５】
2005237785.tif 000007
【図６】
2005237785.tif 000008